(57)【要約】【課題】施工性に優れた折板部材の取付構造及び取付具を提供する。【解決手段】折板部材の取付構造は折板部材６の取付構造は、建物の躯体１と、躯体１に固定された取付具２と、複数枚又は１枚の折板７で構成され、取付具２に取り付けられた折板部材６とを具備している。折板部材６は、山部６０を備えている。取付具２は、躯体１に対して固定された被固定部と、被固定部に繋がり、山部６０の内側に嵌合した嵌合部５０とを備えている。被固定部は、嵌込溝部を有している。嵌込溝部には躯体１の一部が挟まれた状態で嵌め込まれている。【選択図】図１
2018123517.tif 000002
【特許請求の範囲】
【請求項１】
建物の躯体と、
前記躯体に固定された取付具と、
複数枚又は１枚の折板で構成され、前記取付具に取り付けられた折板部材とを具備し、
前記折板部材は、
山部を備え、
前記取付具は、
前記躯体に対して固定された被固定部と、
前記被固定部に繋がり、前記山部の内側に嵌合した嵌合部とを備え、
前記被固定部は、
嵌込溝部を有し、
前記嵌込溝部に前記躯体の一部が挟まれた状態で嵌め込まれていることを特徴とする折板部材の取付構造。
【請求項２】
前記躯体は、
板状の固定部を有し、
前記被固定部は断面Ｕ字状に形成されて、その内側に前記嵌込溝部が形成されており、
前記固定部が前記嵌込溝部に、前記固定部の板厚方向に挟まれた状態で嵌め込まれていることを特徴とする請求項１に記載の折板部材の取付構造。
【請求項３】
前記取付具は、
前記被固定部を有する被固定部材と、
前記嵌合部を有する嵌合部材とを備え、
前記被固定部材は、
前記被固定部から突出したねじ軸をさらに有し、
前記嵌合部材は、
前記嵌合部に設けられた複数の係止片をさらに有し、
前記複数の係止片の各々が、前記ねじ軸のねじ山に係止されていることを特徴とする請求項１又は請求項２に記載の折板部材の取付構造。
【請求項４】
前記山部は、
前記山部の両側部分にそれぞれ形成された一対の被係合部を有し、
前記嵌合部は、
前記一対の被係合部がそれぞれ係合する一対の係合部を有したことを特徴とする請求項１〜３のいずれか１項に記載の折板部材の取付構造。
【請求項５】
複数枚又は１枚の折板で構成された折板部材を建物の躯体に取り付けるための取付具であって、
前記躯体に対して固定可能な被固定部と、
前記被固定部に繋がり、前記折板部材が有する山部を嵌合可能な嵌合部とを備え、
前記被固定部は、
前記躯体の一部を挟んだ状態で嵌め込み可能な嵌込溝部を有していることを特徴とする取付具。
【発明の詳細な説明】
【技術分野】
【０００１】
本発明は折板部材の取付構造及び取付具に関する。
【背景技術】
【０００２】
特許文献１には折板屋根の支持構造が開示されている。この支持構造では、建物の梁に止めねじを介して固定されたタイトフレームに、折板屋根が取り付けられている。
【先行技術文献】
【特許文献】
【０００３】
【特許文献１】特開平８−４２０７３号公報
【発明の概要】
【発明が解決しようとする課題】
【０００４】
前述した支持構造では、タイトフレームが止めねじによって梁に固定されている。ところが、高所においてタイトフレームを止めねじを用いて梁に固定する作業は、止めねじを落下させたり、梁及びタイトフレームに、止めねじを通すための孔を形成する必要もあって、手間を要する。
【０００５】
本発明は前記事情に鑑みてなされたものであって、施工性に優れた折板部材の取付構造及び取付具を提供することを目的とする。
【課題を解決するための手段】
【０００６】
前記目的を達成するために本発明に係る一態様の折板部材の取付構造は、建物の躯体と、前記躯体に固定された取付具と、複数枚又は１枚の折板で構成され、前記取付具に取り付けられた折板部材とを具備し、前記折板部材は、山部を備え、前記取付具は、前記躯体に対して固定された被固定部と、前記被固定部に繋がり、前記山部の内側に嵌合した嵌合部とを備え、前記被固定部は、嵌込溝部を有し、前記嵌込溝部に前記躯体の一部が挟まれた状態で嵌め込まれていることを特徴とする。
【０００７】
また、本発明に係る一態様の取付具は、複数枚又は１枚の折板で構成された折板部材を建物の躯体に取り付けるための取付具であって、前記躯体に対して固定可能な被固定部と、前記被固定部に繋がり、前記折板部材が有する山部を嵌合可能な嵌合部とを備え、前記被固定部は、前記躯体の一部を挟んだ状態で嵌め込み可能な嵌込溝部を有していることを特徴とする。
【発明の効果】
【０００８】
本発明に係る一態様の折板部材の取付構造及び取付具は、折板部材を簡単に施工できる。
【図面の簡単な説明】
【０００９】
【図１】図１は、本発明に係る第１実施形態の折板部材の取付構造を示した断面図である。
【図２】図２Ａ及び図２Ｂは、同上の取付構造に用いられる被固定部材を構造材に固定した状態を示し、図２Ａは正面図であり、図２Ｂは側断面図である。
【図３】図３は、同上の取付構造に用いられる嵌合部材を、被固定部材に取り付ける様子を示した正面図である。
【図４】図４は、図１のＡ部拡大図である。
【図５】図５Ａ〜図５Ｃは、同上の嵌合部材を示し、図５Ａは正面図であり、図５Ｂは平面図であり、図５Ｃは右側面図である。
【図６】図６は、同上の取付構造に用いられる折板の斜視図である。
【図７】図７Ａは本発明に係る第２実施形態の折板部材の取付構造の断面図であり、図７Ｂはこの取付構造に用いられる被固定部材を構造材に固定した状態を示した側断面図である。
【図８】図８は本発明に係る第３実施形態の折板部材の取付構造の水平断面図である。
【図９】同上の折板部材の取付構造の縦断面図である。
【発明を実施するための形態】
【００１０】
以下に示す実施形態は、折板部材の取付構造及び取付具に関し、詳しくは、建物の躯体に取付具を介して折板部材が取り付けられた折板部材の取付構造、及びこれに用いられる取付具に関する。
【００１１】
（第１実施形態）
図１に示す本実施形態の折板部材の取付構造は、建物の躯体１と、複数の取付具２と、折板部材６とを具備している。
【００１２】
折板部材６は、複数の山部６０，６１を備えている。本実施形態の折板部材６は、建物の屋根面を構成する折板屋根６ａであって、折板屋根６ａには上方（躯体１とは反対側）に突出した複数の山部６０，６１が設けられている。折板屋根６ａは、複数の取付具２を介して躯体１に取り付けられている。
【００１３】
（躯体）
本実施形態の躯体１は、複数の構造材１ａを備えている。複数の構造材１ａの各々は、取付具２が取付けられる取付部材を構成している。
【００１４】
各構造材１ａは、一方向に延びた長尺物である。本実施形態の各構造材１ａは、横架材であって、詳しくは梁である。なお、横架材は、母屋等の他の横架材であってもよい。
【００１５】
図示は省略するが、構造材１ａは、平面視において構造材１ａの長手方向と直交する方向に間隔を介して複数並べて設けられている。
【００１６】
本実施形態の各構造材１ａは、Ｈ型鋼であって、図２Ａ及び図２Ｂに示すように、第１フランジ１０と、第２フランジ１１と、ウェブ１２とを有している。
【００１７】
第１フランジ１０及び第２フランジ１１は、構造材１ａの長手方向に延びた板状に形成されている。第１フランジ１０と第２フランジ１１とは互いに対向している。本実施形態の各構造材１ａは、第２フランジ１１が第１フランジ１０の下方に位置するように設けられている。
【００１８】
第１フランジ１０と第２フランジ１１とは、幅方向の中間部同士が、ウェブ１２を介して繋がっている。
【００１９】
各構造材１ａは、複数の取付具２が固定される板状の固定部を有している。本実施形態の固定部は、第１フランジ１０で構成されている。
【００２０】
（取付具）
各構造材１ａには、図１に示すように、構造材１ａの長手方向に間隔を介して複数の取付具２が取り付けられている。本実施形態では、各構造材１ａに折板屋根６ａの山部６０，６１と同数の取付具２が取り付けられている。
【００２１】
（被固定部材）
各取付具２は、図３に示すように、構造材１ａに固定される被固定部材３と、被固定部材３に取り付けられる嵌合部材４とを備えている。
【００２２】
本実施形態の被固定部材３は金属製であって、構造材１ａに対して固定された被固定部３０と、被固定部３０に固定されたねじ軸３１とを有している。
【００２３】
本実施形態の被固定部３０は、鋼板（ステンレス鋼板を含む）を曲げ加工して形成されている。本実施形態の被固定部３０は、図２Ｂに示すように、断面形状が側方に開口したＵ字状であり、一対の対向する挟持部３３，３４と、挟持部３３，３４の対応する端部同士を繋いだ繋ぎ部３２とを有している。一対の挟持部３３，３４は、繋ぎ部３２の両端部から同一方向に向かって突出している。
【００２４】
以下、必要に応じて、一対の挟持部３３，３４のうちの一方の挟持部３３を第１挟持部３３といい、他方の挟持部３４を第２挟持部３４という。第１挟持部３３と第２挟持部３４とは互いに対向している。構造材１ａに対して固定された被固定部材３にあっては、第２挟持部３４が第１挟持部３３の下方に位置する。
【００２５】
断面Ｕ字状の被固定部材３の内側には、嵌込溝部３５が形成されている。嵌込溝部３５は、第１フランジ１０の幅方向と平行な一側方（繋ぎ部３２とは反対側に向かう方向）、及び第１フランジ１０の長手方向と平行な両側方に向かって開口している。嵌込溝部３５の内面は、第１挟持部３３の下面（第２挟持部３４側の面）、第２挟持部３４の上面（第１挟持部３３側の面）及び繋ぎ部３２の内面によってそれぞれ構成されている。
【００２６】
嵌込溝部３５には、第１フランジ１０においてウェブ１２よりも外側方に突出した部分が、その板厚方向（第１フランジ１０の長手方向に直交し、且つ第１フランジ１０の幅方向に直交する方向）に挟み込まれた状態で嵌め込まれて固定されている。これにより、被固定部材３は構造材１ａに取り付けられている。
【００２７】
第１挟持部３３は第１フランジ１０と略平行な板状である。第２挟持部３４の先端部（繋ぎ部３２とは反対側の端部）には、第１フランジ１０の幅方向における中間部分が上方（第１挟持部３３側）に突出するように弧状に屈曲した屈曲部３６が形成されている。一対の挟持部３３，３４の間隔は、第１フランジ１０の幅方向において屈曲部３６の上端部（第１挟持部３３側の端部）に対応する箇所が最も小さくなっている。本実施形態の第１フランジ１０は、第１挟持部３３の略全体と第２挟持部３４における屈曲部３６の上端部とで、上下に挟まれている。
【００２８】
被固定部材３は、被固定部材３をハンマー等の打撃具により打撃することで、嵌込溝部３５に構造材１ａの第１フランジ１０を上下に挟み込んだ状態で嵌め込むことができる。この場合、一対の挟持部３３，３４を繋ぐ繋ぎ部３２は、打撃具で打撃される部分となる。
【００２９】
被固定部材３は、上述のように打撃具により打撃することで、構造材１に取り付けることができる。このため、作業者は、被固定部材３を構造材１ａに固定するにあたって、ボルト等の固着具を用いる必要がなく、溶接作業を行う必要もない。従って、作業者は、被固定部材３を構造材１ａに簡単に固定できる。
【００３０】
第１挟持部３３には、ねじ軸３１の下端部が連結されている。ねじ軸３１は、第１挟持部３３から上方に向かって突出している。本実施形態のねじ軸３１の先端部（上端部）は、尖っている。
【００３１】
（嵌合部材）
図４に示すように、被固定部材３には嵌合部材４が取り付けられている。本実施形態の嵌合部材４は、金属製である。本実施形態の嵌合部材４は、図５Ａ〜図５Ｃに示すように、ベース４０と、ベース４０に固定された被取付板４１とを有している。
【００３２】
ベース４０は、鋼板（ステンレス鋼板を含む）を曲げ加工して形成されている。ベース４０は、底板部４２と、一対の係合板部４３，４４とを有している。
【００３３】
底板部４２は、第１挟持部３３と平行な板状である。一対の係合板部４３，４４は、底板部４２の両側端部から上方に向かってそれぞれ突出しており、対向している。一対の係合板部４３，４４は、構造材１ａの長手方向に並んでいる。
【００３４】
底板部４２の中央部には、上下方向（底板部４２の板厚方向）に貫通した挿通孔４５が形成されている。図４に示すように、底板部４２は、挿通孔４５にねじ軸３１が挿通された状態で、第１挟持部３３の上面に沿って配置されている。
【００３５】
一対の係合板部４３，４４は、底板部４２から上方（構造材１ａとは反対側）に向かって突出した一対の立上部４６，４７と、一対の立上部４６，４７の上端部から外側斜め下方に向かって突出した一対の係合部４８，４９とを有している。本実施形態では、一対の係合部４８，４９によって、折板屋根６ａの山部６０，６１が嵌合する嵌合部５０が構成されている。
【００３６】
底板部４２には、スピードナットとして用いられる被取付板４１が取り付けられている。被取付板４１は、底板部４２に沿った板状に形成されている。被取付板４１は底板部４２上に配置された状態で、リベット等によって底板部４２に固定されている。
【００３７】
図５Ａ及び図５Ｂに示すように、被取付板４１には、上下方向（被取付板４１の板厚方向）に貫通した係止孔５１が形成されている。係止孔５１は上下方向に見て挿通孔４５の一部と重なっており、挿通孔４５に通じている。被取付板４１の係止孔５１の周縁部には、上下方向に見て係止孔５１の中心に向かって突出した係止片５２，５３が周方向に複数形成されている。本実施形態では、被取付板４１の係止孔５１の周縁部において係止孔５１を挟んで対向する２箇所に、一対の係止片５２，５３がそれぞれ形成されている。
【００３８】
各係止片５２，５３は、先端（係止孔５１の中心）に近い部分ほど上方に位置するように構造材１ａの長手方向に対して傾斜している。
【００３９】
図４に示すように、係止孔５１には、ねじ軸３１が挿通されている。各係止片５２，５３の先端は、ねじ軸３１のねじ山に係止されており、ねじ軸３１は複数の係止片５２，５３によって上下方向及び水平方向の移動が規制されている。これにより、嵌合部材４は被固定部材３に対して取り付けられている。
【００４０】
（折板屋根）
複数の構造材１ａに取り付けられた複数の取付具２には、図１に示すように、折板屋根６ａが取り付けられている。本実施形態の折板屋根６ａは、構造材１ａの長手方向に並べて配置された複数枚の折板７で構成されている。
【００４１】
複数の折板７の各々は、上下方向に見て構造材１ａの長手方向と直交する方向に延びている。図示は省略するが、各折板７は、少なくとも隣り合う２つの構造材１ａに跨るように配置されている。各折板７は、折板７の長手方向と直交する断面の形状が、折板７の長手方向に亘って一様な板で構成される。
【００４２】
各折板７の幅方向は、構造材１ａの長手方向と平行である。本実施形態の各折板７は、図６に示すように、幅方向の両端部のうち、一方の端部に形成された第１重なり部７１と、他方の端部に形成された第２重なり部７２とを有している。
【００４３】
第１重なり部７１及び第２重なり部７２は、折板７の幅方向の端部において上方に向かって突出している。各折板７の第１重なり部７１の上には、図４に示すように、隣接する折板７の第２重なり部７２が重なっている。これにより、折板屋根６ａには、第１重なり部７１と第２重なり部７２とで構成された山部６０が複数形成されている。以下、山部６０を継山部６０という。
【００４４】
継山部６０は、折板７の長手方向に延びている。継山部６０の幅方向は、折板７の幅方向と平行である。
【００４５】
（第１重なり部）
図６に示すように、第１重なり部７１は、一対の側板部７３，７４と、天板部７５とを有している。一対の側板部７３，７４は、継山部６０の幅方向において離間して配置されており、対向している。一対の側板部７３，７４の上縁部（構造材１ａとは反対側の縁部）同士は、天板部７５を介して繋がっている。
【００４６】
以下、一対の側板部７３，７４のうち、折板７の幅方向の外側（第２重なり部７２とは反対側）に位置する側板部７３を第１外側板部７３といい、折板７の幅方向の内側（第２重なり部７２側）に位置する側板部７４を第１内側板部７４という。また、天板部７５を第１天板部７５という。
【００４７】
図４に示すように、第１天板部７５は構造材１ａの第１フランジ１０と平行な板状に形成されている。第１外側板部７３の上下寸法は、第１内側板部７４の上下寸法よりも短い。第１外側板部７３は、下端（構造材１ａ側の端）に近い部分ほど継山部６０の幅方向の外側（折板７の幅方向における内側）に位置するように鉛直方向に対して傾斜している。第１内側板部７４は、後述する被係合部７６が形成された箇所を除いて、下端に近い部分ほど継山部６０の幅方向の外側に位置するように鉛直方向に対して傾斜している。
【００４８】
第１内側板部７４の上下方向の中間部には、被係合部７６が形成されている。以下、この被係合部７６を第１被係合部７６という。第１被係合部７６は、対応する取付具２の係合部４８に係合している。
【００４９】
本実施形態の第１内側板部７４は、上下方向の中間部が、継山部６０の幅方向内側（折板７の幅方向外側）に向かって凹むように断面クランク状に屈曲した曲部７７となっている。曲部７７は、上端（構造材１ａとは反対側の端）に近い部分ほど継山部６０の幅方向外側（折板７の幅方向内側）に位置するように鉛直方向に対して傾斜した片部を有しており、本実施形態ではこの片部により第１被係合部７６が構成されている。
【００５０】
（第２重なり部）
第１重なり部７１に重ねられた第２重なり部７２は、一対の側板部７８，７９と、天板部８０とを有している。一対の側板部７８，７９は、継山部６０の幅方向において離間して配置されており、対向している。一対の側板部７８，７９の上縁部同士は、天板部８０を介して繋がっている。天板部８０は構造材１ａの第１フランジ１０と平行である。
【００５１】
以下、一対の側板部７８，７９のうち、折板７の幅方向の外側（第１重なり部７１とは反対側）に位置する側板部７８を第２外側板部７８といい、折板７の幅方向の内側（第１重なり部７１側）に位置する側板部７９を第２内側板部７９という。また、天板部８０を第２天板部８０という。
【００５２】
第２外側板部７８の上下寸法は、第２内側板部７９の上下寸法よりも短い。一対の側板部７８，７９の各々は、後述する第２被係合部８１，８２が形成された箇所を除いて、下端に近い部分ほど継山部６０の幅方向の外側に位置するように鉛直方向に対して傾斜している。
【００５３】
一対の側板部７８，７９には、一対の第２被係合部８１，８２がそれぞれ形成されている。一対の第２被係合部８１，８２のうち、第２外側板部７８に形成された第２被係合部８１は、隣接する折板７の第１被係合部７６に係合している。他方、第２内側板部７９に形成された第２被係合部８２は、対応する取付具２の係合部４９に係合している。
【００５４】
本実施形態の各側板部７８，７９は、上下方向の中間部が、継山部６０の幅方向内側に向かって凹むように断面クランク状に屈曲した曲部８３，８４となっている。ここで、継山部６０の幅方向内側とは、側板部７８にあっては折板７の幅方向内側を意味し、側板部７９にあっては折板７の幅方向外側を意味する。
【００５５】
各曲部８３，８４は、上端に近い部分ほど継山部６０の幅方向外側に位置するように鉛直方向に対して傾斜した片部を有しており、本実施形態では、これら片部により、一対の第２被係合部８１，８２がそれぞれ構成されている。
【００５６】
前述したように、第１重なり部７１の第１被係合部７６と、この第１重なり部７１の上に重なる第２重なり部７２の第２被係合部８２とは、対応する取付具２の一対の係合部４８，４９の先端部にそれぞれ係合されている。これにより継山部６０は、取付具２の嵌合部５０に上方への移動が規制された状態で嵌合されている。すなわち、継山部６０には、第１被係合部７６と第２被係合部８２とで構成され、嵌合部５０に嵌合可能な被嵌合部６２が形成されている。
【００５７】
（非継山部）
図１に示すように、本実施形態の各折板７は、第１重なり部７１と第２重なり部７２との間に位置する山部６１と、山部６１と第１重なり部７１とを繋ぐ底板部８５と、山部６１と第２重なり部７２とを繋ぐ底板部８６とをさらに有している。
【００５８】
以下、必要に応じて山部６１を非継山部６１という。また、底板部８５を第１底板部８５といい、底板部８６を第２底板部８６という。
【００５９】
非継山部６１は、折板７の長手方向に延びている。非継山部６１の幅方向は、折板７の幅方向と平行である。
【００６０】
非継山部６１は、一対の側板部８７，８８と、天板部８９とを有している。一対の側板部８７，８８は、折板７の幅方向において離間しており、対向している。一対の側板部８７，８８の上縁部同士は、天板部８９を介して繋がっている。天板部８９は構造材１ａの第１フランジ１０と平行である。
【００６１】
一対の側板部８７，８８の各々は、一対の側板部８７，８８の間隔が、後述する被係合部９０，９１が形成された箇所を除いて、天板部８９から下方に離れる程徐々に広がるように鉛直方向に対して傾斜している。
【００６２】
一対の側板部８７，８８には、一対の被係合部９０，９１がそれぞれ形成されている。一対の被係合部９０，９１の各々は、対応する取付具２の係合部４８，４９に係合している。
【００６３】
本実施形態の各側板部８７，８８は、上下方向の中間部が、非継山部６１の幅方向内側に向かって凹むように断面クランク状に屈曲した曲部９２，９３となっている。各曲部９２，９３は、上端に近い部分ほど非継山部６１の幅方向外側に位置するように鉛直方向に対して傾斜した片部を有しており、本実施形態では、これら片部により、一対の被係合部９０，９１がそれぞれ構成されている。
【００６４】
各被係合部９０，９１は、対応する取付具２の一対の係合部４８，４９の先端にそれぞれ係合されており、これにより非継山部６１は、取付具２に対して上方への移動が規制された状態で嵌合されている。すなわち、非継山部６１には、一対の被係合部９０，９１で構成され、嵌合部５０に嵌合可能な被嵌合部６２が形成されている。
【００６５】
本実施形態の折板屋根６ａは、前述した各被嵌合部６２を対応する取付具２の嵌合部５０に嵌合することにより、複数の取付具２に対して固定されている。このため、折板屋根６ａは、ボルト等の固着具を用いることなく、複数の取付具２に取り付けることができる。また、この場合、折板屋根６ａには取付具２に取り付けるためのボルト等の固着具を挿通させる必要がないため、折板屋根６ａの防水性が高い。
【００６６】
（施工）
本実施形態の折板部材６の取付構造（屋根構造）は、例えば以下のように施工される。作業者は、図１に示すように、各構造材１ａに、複数の取付具２を取り付け、この後、複数の取付具２に複数の折板７を取り付ける。
【００６７】
各取付具２を構造材１ａに取り付けるには、作業者は、図３に示すように被固定部材３を構造材１ａに固定し、この後、被固定部材３に嵌合部材４を取り付ける。
【００６８】
作業者は、被固定部材３を構造材１ａに取り付ける場合、まず、被固定部材３を被固定部３０からねじ軸３１を上方に向かって突出させた姿勢にし、一対の挟持部３３，３４の先端部同士の間に第１フランジ１０の先端部を位置させる。続いて作業者は、打撃具で繋ぎ部３２を第１フランジ１０の先端部に向かって打撃する。これにより図２Ｂに示すように、一対の挟持部３３，３４の間に第１フランジ１０が圧入され、被固定部材３が構造材１ａに固定される。
【００６９】
被固定部材３に嵌合部材４を取り付ける場合、作業者は、まず、嵌合部材４を、図３に示すように被固定部材３のねじ軸３１の上方に、係止孔５１が位置するように配置する。続いて作業者は、嵌合部材４を下方に移動して、ねじ軸３１を挿通孔４５及び係止孔５１に挿通させ、被固定部材３の第１挟持部３３に底板部４２を沿わせる。これにより、嵌合部材４の各係止片５２，５３の先端が、図４に示すように、ねじ軸３１のねじ山に係止され、嵌合部材４が被固定部材３に取り付けられる。
【００７０】
図１に示す複数の取付具２に複数の折板７を取り付ける場合、作業者は、まず、１つの折板７を複数の取付具２に取り付ける。この場合、作業者は、折板７の第１重なり部７１、第２重なり部７２及び非継山部６１の各々を、対応する取付具２の嵌合部材４の上に被せて、第１被係合部７６、第２被係合部８１，８２及び被係合部９０，９１を、対応する取付具２の係合部４８，４９に係合する。
【００７１】
次に作業者は、先に施工した前記折板７に隣接して設置される折板７を、複数の取付具２に取り付ける。以下、先に施工された折板７を第１折板７といい、第１折板７に隣接し第１折板７の次に施工される他の折板７を第２折板７という。
【００７２】
この場合、作業者は、第２折板７の第２重なり部７２を第１折板７の第１重なり部７１の上に重ね、また、第２折板７の第１重なり部７１及び非継山部６１の各々を、対応する取付具２の嵌合部材４の上に被せる。これにより、第２折板７の第２被係合部８１は、第１折板７の第１被係合部７６に係合し、第２折板７の第１被係合部７６及び一対の被係合部９０，９１の各々は、対応する取付具２の係合部４８，４９に係合する。以下、同様に、作業者は、先に施工した折板７に隣接して設置される折板７を複数の取付具２に取り付けていき、これにより、複数の折板７で構成された折板屋根６ａが形成される。
【００７３】
（第２実施形態）
次に第２実施形態について説明する。以下の第２実施形態の説明では、第１実施形態と共通する構成については同一の符号を付して説明を省略する。
【００７４】
図７Ａに示す本実施形態の取付構造における折板部材６は、建物における部屋の天井面を構成し、複数の取付具２を介して複数の構造材１ａの下端部に取り付けられる。
【００７５】
本実施形態の各取付具２は、第１実施形態における取付具２を上下反転した姿勢にして、構造材１ａに取り付けられる。各取付具２の被固定部材３は、図７Ｂに示すように、一対の挟持部３３，３４の間に第２フランジ１１が嵌め込まれることにより、構造材１ａに取り付けられる。すなわち、本実施形態の固定部は、第２フランジ１１で構成されている。
【００７６】
上述のように構造材１ａに取り付けられた被固定部材３のねじ軸３１は、被固定部３０から下方に向かって突出する。
【００７７】
また、図７Ａに示す嵌合部材４は、ねじ軸３１の下方に配置され、この後、上方に移動されて、挿通孔４５（図３参照）及び係止孔５１（図３参照）にねじ軸３１が挿通されることで、被固定部材３に取り付けられる。このように被固定部材３に取り付けられた嵌合部材４の一対の係合板部４３，４４は、底板部４２の両側端部から下方に向かってそれぞれ突出する。
【００７８】
また、折板部材６も、第１実施形態における姿勢とは、上下反転した姿勢で複数の取付具２に取付けられる。折板部材６は、山部６０，６１を対応する取付具２の嵌合部５０に嵌合することで、複数の取付具２に取り付けられる。このように取付具２に取り付けられた折板部材６の山部６０，６１は、下方に向かって突出する。
【００７９】
（第３実施形態）
次に第３実施形態について説明する。以下の第３実施形態の説明では、第１実施形態と共通する構成については同一の符号を付して説明を省略する。
【００８０】
図８及び図９に示すように、本実施形態の取付構造における折板部材６は、建物における部屋の壁を構成する。ここで、折板部材６によって構成される壁は、建物の外面を構成する外壁であってもよいし、建物の内面を構成する内壁であってもよい。
【００８１】
本実施形態の建物の躯体１は、複数の垂直材１ｂと、これら複数の垂直材１ｂに取り付けられた複数の横架材１ｃとを備えている。複数の横架材１ｃの各々は、取付具２が取付けられる取付部材を構成している。
【００８２】
図８に示すように、複数の垂直材１ｂは、垂直材１ｂと直交する横方向に並べて設けられている。本実施形態の複数の垂直材１ｂの各々は、柱であり、角パイプにより構成されている。なお、垂直材１ｂは、角パイプに限定されず、例えばＨ型鋼により構成されてもよい。
【００８３】
図９に示すように、複数の横架材１ｃは、垂直材１ｂの長手方向と平行な上下方向に並べて設けられており、図８に示すように複数の垂直材１ｂに跨っている。
【００８４】
本実施形態の複数の横架材１ｃの各々は、図９に示すように、一対の山形鋼（アングル）１３，１４を有しており、各横架材１ｃにおける一対の山形鋼１３，１４は、互いの横片部１５，１６を上下に重ね合わせた状態で溶接等によって接合されている。
【００８５】
各横架材１ｃは、一対の山形鋼１３，１４のうちの下側に配置された山形鋼１３の縦片部によって構成され下向きに突出した第１縦片部１７と、上側に配置された山形鋼１３の縦片部によって構成され上向きに突出した第２縦片部１８とを有している。第１縦片部１７及び第２縦片部１８の各々は、板厚方向が上下方向に直交し且つ横架材１ｃの長手方向に直交した板状に形成されている。
【００８６】
各横架材１ｃは、第１縦片部１７が複数の垂直材１ｂの側面に沿って配置された状態で複数の垂直材１ｂに溶接又はボルト等によって取り付けられる。
【００８７】
本実施形態の各取付具２は、第１実施形態における取付具２を横向きに倒した姿勢にして、横架材１ｃに取り付けられる。具体的に各取付具２の被固定部材３は、一対の挟持部３３，３４の間に第２縦片部１８が嵌め込まれることにより、横架材１ｃに取り付けられ、ねじ軸３１は被固定部３０から横架材１ｃとは反対側となる側方に向かって突出する。すなわち、本実施形態の固定部は、第２縦片部１８で構成されている。
【００８８】
図８に示す嵌合部材４は、ねじ軸３１の横架材１ｃとは反対側に配置された後、横架材１ｃ側に移動されて、挿通孔４５（図３参照）及び係止孔５１（図３参照）にねじ軸３１が挿通されることで、被固定部材３に取り付けられる。このように被固定部材３に取付けられた嵌合部材４の一対の係合板部４３，４４は、底板部４２の両側端部から横架材１ｃとは反対側となる側方に向かって突出する。
【００８９】
また、折板部材６も、第１実施形態における取付具２を横向きに倒した姿勢にして、複数の取付具２に取付けられる。折板部材６は、山部６０，６１を対応する取付具２の嵌合部５０に嵌合することで、複数の取付具２に取り付けられる。このように複数の取付具２に取付けられた折板部材６の山部６０，６１は、横架材１ｃとは反対側となる側方に向かって突出する。
【００９０】
（補足）
なお、上述した各実施形態の折板部材６は、複数枚の折板７で構成されているが、１枚の折板７で構成されてもよい。
【００９１】
また、上述した各実施形態の取付具２は、被固定部３０を有する被固定部材３と、嵌合部５０を有して被固定部材３に取付けられる嵌合部材４とで構成されているが、被固定部３０と嵌合部５０とは一体に設けられてもよい。
【００９２】
また、上述した各実施形態の構造材１ａは、Ｈ型鋼から形成されているが、例えばＩ型鋼やＣ型鋼、リップ付き溝形鋼等であってもよい。
【００９３】
また、この他、本実施形態の折板部材６の取付構造及び折板７は、適宜設計変更可能である。
【００９４】
（効果）
以上説明した第１〜第３実施形態の折板部材６の取付構造は、以下の特徴を有している。折板部材６の取付構造は、建物の躯体１と、躯体１に固定された取付具２と、複数枚又は１枚の折板７で構成され、取付具２に取り付けられた折板部材６とを具備している。折板部材６は、山部６０を備えている。取付具２は、躯体１に対して固定された被固定部３０と、被固定部３０に繋がり、山部６０の内側に嵌合した嵌合部５０とを備えている。被固定部３０は、嵌込溝部３５を有している。嵌込溝部３５には躯体１の一部が挟まれた状態で嵌め込まれている。以下、この折板部材６の取付構造を第１の態様の折板部材６の取付構造という。
【００９５】
第１の態様の折板部材６の取付構造にあっては、作業者は、例えば、取付具２を打撃具で打撃して、嵌込溝部３５に躯体１の一部を嵌め込むことで、取付具２を躯体１に対して固定できる。この場合、作業者は、ボルト等の固着具を用いたり、溶接作業を行ったりすることなく、被固定部３０を躯体１に固定できるため、折板部材６を簡単に施工できる。
【００９６】
また、第１〜第３実施形態の折板部材６の取付構造は、第１の態様の折板部材６の取付構造において、以下に示す付加的な特徴を有している。躯体１は、板状の固定部（第１フランジ１０，第２フランジ１１，第２縦片部１８）を有している。被固定部３０は断面Ｕ字状に形成されて、その内側に嵌込溝部３５が形成されている。固定部が嵌込溝部３５に、固定部の板厚方向に挟まれた状態で嵌め込まれている。以下、この折板部材６の取付構造を第２の態様の折板部材６の取付構造という。
【００９７】
第２の態様の折板部材６の取付構造にあっては、被固定部３０を単純な形状にすることができ、被固定部３０の製造コストを抑えることができる。また、取付具２を打撃具で打撃して躯体１の一部に固定する場合には、断面Ｕ字状の被固定部３０において嵌込溝部３５の溝奥を構成する部分（繋ぎ部３２）を打撃することで、躯体１の一部を嵌込溝部３５に簡単に嵌め込むことができる。
【００９８】
また、第１〜第３実施形態の折板部材６の取付構造は、第１又は第２の態様の折板部材６の取付構造において、以下に示す付加的な特徴を有している。取付具２は、被固定部３０を有する被固定部材３と、嵌合部５０を有する嵌合部材４とを備えている。被固定部材３は、被固定部３０から上方に突出したねじ軸３１をさらに有している。嵌合部材４は、嵌合部５０に設けられた複数の係止片５２，５３をさらに有している。複数の係止片５２，５３の各々が、ねじ軸３１のねじ山に係止されている。以下、この折板部材６の取付構造を第３の態様の折板部材６の取付構造という。
【００９９】
第３の態様の折板部材６の取付構造にあっては、作業者は、躯体１に被固定部材３を固定し、この被固定部材３に嵌合部材４を取り付け、この後、嵌合部材４に折板部材６を嵌合することで、折板部材６を施工できる。この場合、被固定部材３は嵌合部材４を取り付けていない状態で躯体１に固定することができ、被固定部材３を躯体１に固定する際に、嵌合部材４が邪魔になり難い。また、嵌合部材４は、複数の係止片５２，５３をねじ軸３１のねじ山に係止することで、被固定部材３に簡単に取付けることができる。
【０１００】
また、第１〜第３実施形態の折板部材６の取付構造は、第１〜第３の態様の折板部材６の取付構造において、以下に示す付加的な特徴を有している。山部６０（又は６１）は、山部６０（又は６１）の両側部分にそれぞれ形成された一対の被係合部８１，８２（又は９０，９１）を有している。嵌合部５０は、一対の被係合部８１，８２（又は９０，９１）がそれぞれ係合する一対の係合部４８，４９を有している。以下、この折板部材６の取付構造を第４の態様の折板部材６の取付構造という。
【０１０１】
第４の態様の折板部材６の取付構造にあっては、作業者は、山部６０（又は６１）の一対の被係合部８１，８２（又は９０，９１）を、嵌合部５０の一対の係合部４８，４９にそれぞれ係合することで、折板部材６を取付具２に取り付けることができる。
【０１０２】
また、本実施形態の取付具２は、複数枚又は１枚の折板７で構成された折板部材６を建物の躯体１に取り付けるための取付具２であって、以下に示す特徴を有している。取付具２は、躯体１に対して固定可能な被固定部３０と、被固定部３０に繋がり、折板部材６が有する山部６０，６１を嵌合可能な嵌合部５０とを備えている。被固定部３０は、躯体１の一部を挟んだ状態で嵌め込み可能な嵌込溝部３５を有している。以下、この取付具２を第１の態様の取付具２という。
【０１０３】
第１の態様の取付具２にあっては、作業者は、例えば、取付具２を打撃具で打撃して、嵌込溝部３５に躯体１の一部を嵌め込むことで、取付具２を躯体１に対して固定できる。この場合、作業者は、ボルト等の固着具を用いたり、溶接作業を行ったりすることなく、被固定部３０を躯体１に固定できるため、折板部材６を簡単に施工できる。
【符号の説明】
【０１０４】
１  躯体  １０  第１フランジ（固定部）
１１  第２フランジ（固定部）
１８  第２縦片部（固定部）
２  取付具
３  被固定部材
３０  被固定部
３１  ねじ軸
３５  嵌込溝部
４  嵌合部材
５０  嵌合部
５２  係止片
５３  係止片
６  折板部材
６０  山部（継山部）
６１  山部（非継山部）
８１  被係合部（第２被係合部）
８２  被係合部（第２被係合部）
９０  被係合部
９１  被係合部
【図１】
2018123517.tif 000003
【図２】
2018123517.tif 000004
【図３】
2018123517.tif 000005
【図４】
2018123517.tif 000006
【図５】
2018123517.tif 000007
【図６】
2018123517.tif 000008
【図７】
2018123517.tif 000009
【図８】
2018123517.tif 000010
【図９】
2018123517.tif 000011